(57)【要約】  セルラ通信システムにおいて、サービング通信局によってサービングされているＵＥ装置は、上りリンク信号の構成に従って、上りリンク信号を送信するように指示される。上りリンク信号の構成情報は、非サービング通信局が無線サービスを提供することができない非アクティブな状態にある非サービング通信局に伝送される。上りリンク信号の構成情報により、非サービング通信局は、ＵＥからの上りリンク信号を受信するように通信局の受信部を構成することができる。非サービング通信局によって受信され、次いでサービング通信局へ伝送される、上りリンク信号に関する情報に少なくとも部分的に基づいて、サービング通信局は、ＵＥ装置が非サービング通信局から無線サービスを受信するために非サービング通信局の十分近くににあるかどうかを判定し、その場合、非サービング通信局はアクティブ化される。
2016536823.tif 000002
【特許請求の範囲】
【請求項１】
サービング通信局によってサービングされているユーザ機器装置（ＵＥ装置）に、上りリンク信号の構成に従い、上りリンク信号を送信するように指示する工程と、
上りリンク信号の構成情報を、非サービング通信局が無線サービスを提供することができない非アクティブな状態にある前記非サービング通信局に伝送する工程と、
前記非サービング通信局から無線サービスを受信するために前記ＵＥ装置が前記非サービング通信局の十分近くにあるかどうかを判定する工程であって、前記判定する工程は、前記非サービング通信局において受信した前記上りリンク信号に少なくとも部分的に基づいている、工程と、を含む、方法。
【請求項２】
前記判定する工程は、
前記上りリンク信号のエネルギーレベルを受信する工程であって、前記エネルギーレベルは、前記非サービング通信局によって測定される、工程と、
前記エネルギーレベルに少なくとも部分的に基づいて、前記非サービング通信局から無線サービスを受信するために前記ＵＥ装置が前記非サービング通信局の十分近くにあるかどうかを判定する工程と、を含む、請求項１に記載の方法。
【請求項３】
前記判定する工程は、
前記上りリンク信号に含有され、前記上りリンク信号を復号することにより前記非サービング通信局によって決定される、情報を受信する工程と、
前記情報に少なくとも部分的に基づいて、前記非サービング通信局から無線サービスを受信するために前記ＵＥ装置が前記非サービング通信局の十分近くにあるかどうかを判定する工程と、を含む、請求項１に記載の方法。
【請求項４】
前記判定する工程は、
前記上りリンク信号から受信した前記情報を前記サービング通信局に伝送する工程を含む、請求項１に記載の方法方法。
【請求項５】
前記非サービング通信局から無線サービスを受信するために前記ＵＥ装置が前記非サービング通信局の十分近くにあるとの判定に応答して、前記非サービング通信局をアクティブ化して、無線サービスを提供する工程を更に含む、請求項１に記載の方法。
【請求項６】
前記非サービング通信局をアクティブ化して無線サービスを提供することに応じて、前記サービング通信局は、カバレッジサービスエリアを有し、前記非サービング通信局は、前記カバレッジサービスエリアと少なくとも部分的に重なる省エネルギーサービスエリアを有する、請求項５に記載の方法。
【請求項７】
前記非サービング通信局において受信した前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上を含む、請求項１に記載の方法。
【請求項８】
非アクティブな状態にある非サービング通信局であって、前記非サービング通信局は、無線サービスを提供することができず、前記非サービング通信局は、
受信部であって、
サービング通信局によってサービングされているユーザ機器装置（ＵＥ装置）から、上りリンク信号の構成に従い、送信された上りリンク信号と、
上りリンク信号構成情報と、を受信するように構成された受信部と、
前記受信した上りリンク信号に少なくとも部分的に基づいて、前記非サービング通信局から無線サービスを受信するために前記ＵＥ装置が前記非サービング通信局の十分近くにあるかどうかを判定するように構成された制御部と、を含む、非サービング通信局。
【請求項９】
前記制御部は、
前記受信した上りリンク信号のエネルギーレベルを測定し、
前記測定したエネルギーレベルに少なくとも部分的に基づいて、前記非サービング通信局から無線サービスを受信するために前記ＵＥ装置が前記非サービング通信局の十分近くにあるかどうかを判定するように、更に構成される、請求項８に記載の非サービング通信局。
【請求項１０】
前記制御部は、
前記受信した上りリンク信号に含有された情報を復号し、
前記復号された情報に少なくとも部分的に基づいて、前記非サービング通信局から無線サービスを受信するために前記ＵＥ装置が前記非サービング通信局の十分近くにあるかどうかを判定するように、更に構成される、請求項８に記載の非サービング通信局。
【請求項１１】
前記制御部は、
前記非サービング通信局から無線サービスを受信するために前記ＵＥ装置が前記非サービング通信局の十分近くにあるとの判定に応答して、前記非サービング通信局をアクティブ化して、無線サービスを提供するように更に構成される、請求項８に記載の非サービング通信局。
【請求項１２】
前記非サービング通信局において受信した前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上を含む、請求項８に記載の非サービング通信局。
【請求項１３】
ユーザ機器装置（ＵＥ装置）をサービングするサービング通信局であって、前記サービング通信局は、
送信部であって、
上りリンク信号の構成に従い、上りリンク信号を送信するための前記ＵＥ装置への指示と、
非サービング通信局が無線サービスを提供することができない非アクティブな状態にある前記非サービング通信局への上りリンク信号の構成情報と、を送信するように構成された送信部と、
前記非サービング通信局から、前記上りリンク信号に関する情報を受信するように構成された受信部と、
前記上りリンク信号に関係する前記情報に少なくとも部分的に基づいて、前記非サービング通信局から無線サービスを受信するために前記ＵＥ装置が前記非サービング通信局の十分近くにあるかどうかを判定するように構成された制御部と、を含む、サービング通信局。
【請求項１４】
前記上りリンク信号に関係する前記情報は、前記上りリンク信号のエネルギーレベルを含み、前記エネルギーレベルは、前記非サービング通信局によって測定される、請求項１３に記載のサービング通信局。
【請求項１５】
前記上りリンク信号に関係する前記情報は、前記上りリンク信号に含有され、前記上りリンク信号を復号することにより前記非サービング通信局によって決定される、情報を含む、請求項１３に記載のサービング通信局。
【請求項１６】
前記制御部は、
前記非サービング通信局から無線サービスを受信するために前記ＵＥ装置が前記非サービング通信局の十分近くにあるとの判定に応答して、前記非サービング通信局をアクティブ化して、無線サービスを提供するよう指示を送信するように更に構成される、請求項１３に記載のサービング通信局。
【請求項１７】
前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上含む、請求項１３に記載のサービング通信局。
【請求項１８】
システムであって、
ユーザ機器装置（ＵＥ装置）と、
前記ＵＥ装置をサービングしているサービング通信局であって、前記サービング通信局は、上りリンク信号の構成に従い、上りリンク信号を送信するように前記ＵＥ装置に指示を送信するように構成された送信部を備える、サービング通信局と、
非サービング通信局であって、
受信部であって、
前記上りリンク信号と、
上りリンク信号構成情報と、を受信するように構成された受信部と、
前記受信した上りリンク信号に少なくとも部分的に基づいて、前記非サービング通信局から無線サービスを受信するために前記ＵＥ装置が前記非サービング通信局の十分近くにあるかどうかを判定するように構成された制御部と、を含む、非サービング通信局と、を含む、システム。
【請求項１９】
前記制御部は、
前記受信した上りリンク信号のエネルギーレベルを測定し、
前記測定したエネルギーレベルに少なくとも部分的に基づいて、前記非サービング通信局から無線サービスを受信するために前記ＵＥ装置が前記非サービング通信局の十分近くにあるかどうかを判定するように、更に構成される、請求項１８に記載のシステム。
【請求項２０】
前記制御部は、
前記受信した上りリンク信号に含有された情報を復号し、
前記復号された情報に少なくとも部分的に基づいて、前記非サービング通信局から無線サービスを受信するために前記ＵＥ装置が前記非サービング通信局の十分近くにあるかどうかを判定するように、更に構成される、請求項１８に記載のシステム。
【請求項２１】
前記制御部は、
前記非サービング通信局から無線サービスを受信するために前記ＵＥ装置が前記非サービング通信局の十分近くにあるとの判定に応答して、前記非サービング通信局をアクティブ化して、無線サービスを提供するように更に構成される、請求項１８に記載のシステム。
【請求項２２】
前記非サービング通信局をアクティブ化して無線サービスを提供することに応じて、前記サービング通信局は、カバレッジサービスエリアを有し、前記非サービング通信局は、前記カバレッジサービスエリアと少なくとも部分的に重なる省エネルギーサービスエリアを有する、請求項２１に記載のシステム。
【請求項２３】
前記非サービング通信局において受信した前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上を含む、請求項１８に記載のシステム。
【発明の詳細な説明】
【優先権主張】
【０００１】
本出願は、本出願の譲受人へ譲渡された仮出願番号：６１／８８３，９４６、整理番号：ＴＰＲＯ  ００２３３  発明の名称：「ＥＳセル活性化のためのＵＥ検出（ＵＥ  Ｄｅｔｅｃｔｉｏｎ  ｆｏｒ  ＥＳ  Ｃｅｌｌ  Ａｃｔｉｖａｔｉｏｎ）」（出願日：２０１３年９月２７日）の優先権を主張し、その全体が参照により明示的に組み込まれている。
【技術分野】
【０００２】
本明細書に開示される発明は、概ね無線通信に関し、より具体的には、ユーザ機器装置によって送信され、非アクティブな通信局によって受信される、上りリンク信号に少なくとも部分的に基づいて、非アクティブな通信局をアクティブ化させるかどうかを判定するための機器、システム、及び方法に関する。
【背景技術】
【０００３】
多くの無線通信システムは、地理的サービスエリア内でサービスを提供するために送受信局又は無線ヘッドを採用する。そのサービスエリアの境界は、関連する送受信局の無線カバレッジによって決定される。無線サービスは、各サービスエリア内において無線周波数キャリア上でユーザ機器（ＵＥ）装置に提供される。キャリアは、関連する無線技術標準で規定された物理チャネルを搬送する変調された波形である。このサービスエリアは、しばしば「セル」と称される。
【０００４】
用語「セル」は、複数の上りリンクリソースと下りリンクリソースと（例えば、上りリンクと下りリンクキャリアのペア）が使用される地理的エリアを指すこともあるが、次第に、用語「セル」は、ＵＥ装置と通信するための単一の上りリンクリソースと下りリンクリソースが使用される地理的サービスエリアを指すために使用される。例えば、時分割複信（ＴＤＤ）が使用される場合、単一の周波数チャネルがセル内で使用されることが可能であり、上りリンクチャネルと下りリンクチャネルとが、異なる時間帯に割り当てられる。周波数分割複信（ＦＤＤ）が使用される場合、単一の上りリンク／下りリンク周波数チャネルペア（１つの上りリンク周波数チャネル及び１つの下りリンク周波数チャネル）が「セル」内で使用され得る。
【０００５】
本明細書で検討されるように、サービスエリアにおいて１つ又は２つ以上のリソース（キャリアペア）を使用することができる。その結果、サービスエリアは、単一セルであってもよく、又は複数のセルを含有してもよい。ある一般的な構成において、それぞれのサービスエリアは、いくつかの他のサービスエリアに隣接して、広大な地域に亘ってユビキタス（ｕｂｉｑｕｉｔｏｕｓ）なカバレッジを提供する。
【０００６】
いくつかのシステムにおいて、無線サービスを提供することができない非アクティブな通信局がアクティブ化され、通信局のサービスエリア内にある１つ又は２つ以上のＵＥ装置に無線サービスの提供を開始することができる。以下に説明するように、非アクティブな通信局がアクティブ化されるべきかどうか判定するための手法が必要とされている。
【発明の概要】
【０００７】
セルラ通信システムにおいて、サービング通信局によってサービングされているＵＥ装置は、上りリンク信号の構成に従って、上りリンク信号を送信するように指示される。上りリンク信号の構成情報は、非サービング通信局が無線サービスを提供することができない非アクティブな状態にある非サービング通信局に伝送される。上りリンク信号の構成情報により、非サービング通信局は、ＵＥからの上りリンク信号を受信するように通信局の受信部を構成することができる。非サービング通信局によって受信され、次いでサービング通信局へ伝送される、上りリンク信号に関する情報に少なくとも部分的に基づいて、サービング通信局は、ＵＥ装置が非サービング通信局から無線サービスを受信するために非サービング通信局の十分近くににあるかどうかを判定し、その場合、非サービング通信局はアクティブ化される。
【図面の簡単な説明】
【０００８】
図１Ａは、ＵＥ装置が非サービング通信局から無線サービスを受信するために非サービング通信局の十分近くにあるかどうかをサービング通信局が判定するシステムを示す。
【０００９】
図１Ｂは、非サービング通信局がアクティブ化されて、ＵＥ装置に無線サービスを提供している図１Ａのシステムを示す。
【００１０】
図２Ａは、ＵＥ装置が非サービング通信局から無線サービスを受信するために非サービング通信局の十分に近くにあるかどうかをサービング通信局が判定するシステムを示す。
【００１１】
図２Ｂは、非サービング通信局が、受信した上りリンク信号に関する情報をサービング通信局に送信している、図２Ａのシステムを示す。
【００１２】
図２Ｃは、非サービング通信局がアクティブ化されて、ＵＥ装置に無線サービスを提供している、図２Ａのシステムを示す。
【００１３】
図３は、ＵＥ装置が非サービング通信局から無線サービスを受信するために非サービング通信局の十分近くにあるかどうかを判定する方法を示すフローチャートである。
【発明を実施するための形態】
【００１４】
セルラ通信システムにおいて、一般的なセルの構成は、広大なエリアをカバーするセルを有する１つの通信局と、この広大なエリアの一部をカバーするカバレッジを有するより小さいセルを有する複数の通信局と、を備える。より小さいセルを提供する通信局は、小さいセルの場所において追加の容量が必要な場合、高負荷条件下でのみアクティブ化され、追加の容量が必要ではない場合、省エネルギーのために休止してもよい。これらの通信局がアクティブでない場合、これらの通信局は、ユーザ機器装置（ＵＥ装置）に無線サービスを提供することができない。本明細書においてほとんど同じ意味で使用されるように、これらの通信局は、省エネルギー通信局、非アクティブな通信局、休止通信局、及び非サービング通信局と称される。
【００１５】
動作時に、高負荷があり、追加の容量が必要な場合、非アクティブな通信局がアクティブ化されると、１つ又は２つ以上のＵＥ装置が非アクティブな通信局（例えば、非サービング通信局）の十分近くに存在すると、非アクティブな通信局は、１つ又は２つ以上のＵＥ装置に無線サービスを提供できるだろう。２つ以上の非アクティブな通信局がアクティブ化のために検討されてもよい。したがって、最大数のＵＥ装置をサービングすることができるだろう１つ又は２つ以上の非アクティブな通信局のうちいずれかを決定することにより、システムは、最小数の非アクティブな通信局を最適にアクティブ化することができる。最小数の非アクティブな通信局をアクティブ化することにより、システムによって利用されるエネルギー量が最小限に抑えられる。
【００１６】
更に、非アクティブな通信局がアクティブ化された場合、新規にアクティブ化された通信局によって提供されるサービスエリア内にある１つ又は２つ以上のＵＥ装置は、以前のサービング通信局から新規にアクティブ化された通信局にハンドオーバされる。以前のサービング通信局から新規にアクティブ化された通信局へのＵＥ装置のハンドオーバにより、ハンドオーバされたＵＥ装置によって利用されていた以前のサービング通信局の通信リソースが解放される。例えば、サービング通信局のトラフィック負荷が閾値レベルに達する又は閾値レベルを超過することとなる場合、本明細書に記載される手法を使用して、サービング通信局によってサービングされるＵＥの数及びセルの総負荷を低減して、より効率的にサービングするために、１つ又は２つ以上の非アクティブな通信局がアクティブ化されるべきかどうかを判定することができる。本明細書で使用される際、用語「トラフィック負荷」は、概ね、セルによりサービングされているＵＥ装置により使用されている特定のセルの通信リソースの量を指す。トラフィックロードは、絶対数で、又はセルの若しくはセルを提供する通信局の総リソース（例えば、容量）に対する測定値として表現できる。
【００１７】
図１Ａは、ＵＥ装置が非サービング通信局から無線サービスを受信するために非サービング通信局の十分近くにあるかどうかをサービング通信局が判定するシステムを示す。図１Ａの例として、システム１００は、地域サービスエリア内に無線サービスを提供するサービング通信局１０２を備え、地域サービスエリアの一部は元のサービスエリア（例えば、元のセル）１０４により示される。
【００１８】
システム１００はまた、非アクティブであり、無線サービスを提供することができない、非サービング通信局１０６を含む。非サービング通信局１０６がアクティブ化され、無線サービスを提供できるようになる場合、非サービング通信局１０６がカバレッジを提供するであろうエリアは、非サービングサービスエリア（例えば、非サービングセル）１０８によって表わされる。非サービングサービスエリア１０８は、破線で示されて、非サービングサービスエリア１０８が現在非アクティブであることを示す。
【００１９】
通信局は、図中では１つのセルを提供するものとしてのみ表示されているが、他の例では、本明細書で検討される通信局は、図中で示されるセルに加えて、更なるセルを提供できることを理解されたい。更に、セルのサービスエリアを表わしている形状は、セル間の関係を概ね表し、サービスエリアの実際の形状を必ずしも描写しているわけではない。したがって、セルは、いくつかの形状及び大きさのうち任意であってもよい。
【００２０】
更に、様々な図面を参照して検討されるＵＥ装置検出手法は、他のシナリオに適用することができる。例えば、本明細書で検討される手法に従い、いくつかの非アクティブな通信局が単一のサービング通信局からＵＥ装置を受容するためにアクティブ化されてもよく、かつ／又は単一の非アクティブな通信が複数のサービング通信局からＵＥ装置を受容するようにアクティブ化されてもよい。
【００２１】
図１Ａの例において、サービング通信局１０２は無線信号を送受信して元のセル１０４を提供する。アクティブ化すると、非サービング通信局１０６は、図１Ｂに示すように、無線信号を送受信して、新規のセル（例えば、サービスエリア）１２２を提供する。それぞれの通信局１０２、１０６は、アクセスノード、アクセスポイント、ｅＮｏｄｅＢ、ｅＮＢ、基地局、及び他の名称で称されてもよく、通信局１０２、１０６として、送受信機及び局制御部が挙げられる。各通信局における制御部は、本明細書に記載される様々な方法及び動作を実施するように構成される。状況によっては、局制御部は、物理的に無線ヘッドから分離されてもよいが、送受信機又は無線ヘッドは、典型的には、局制御部と併設される。
【００２２】
無線ヘッドとして、無線信号を送受信するための、アンテナ、送信部、受信部など無線周波数（ＲＦ）送受信機器が少なくとも挙げられる。典型的には、無線ヘッドは、関連する局制御部により実施される高レベルな処理機能及び制御機能を含まない。図１Ａ及び図１Ｂの図示の都合上、無線ヘッドは、無線ヘッド及び制御部の両方を単一の機器内で実装することができる局制御部に近接している。セルの場所、形状、及び大きさは、通信局との無線送受信により少なくとも部分的に決定されるため、セルの場所及びカバレッジエリアは、無線ヘッドの場所及び動作により決定される。
【００２３】
図１Ａに示すように、サービング通信局１０２は、地域サービスエリア（例えば、元のサービスエリア）をカバーする元のサービスエリア１０４内で、無線通信サービスを無線通信ユーザ機器装置（ＵＥ装置）１１０に対して提供する。図１Ａには図示されないが、サービング通信局１０２はまた、追加のＵＥ装置に対して、無線通信サービスを提供してもよい。
【００２４】
通信局は、典型的には、いくつかのセルを提供するが、簡潔かつ明瞭にするために、通信局１０２及び１０６はそれぞれ、１つのセルを提供し、通信局１０２及び１０６の無線及びデータ処理の全能力が通信局１０２及び１０６が提供するセルのサービスへ付与される。したがって、図１Ａ及び図１Ｂに示す例では、セルの利用可能な容量は、セルを提供する通信局の利用可能な容量に等しい。本明細書で検討されるように、通信局は、単一のセルを提供する局制御部、無線ヘッドなどの機器を備える。したがって、通信局は、セルのサービスエリアの大きさ及び形状を確立するように構成又は調整することができる。いくつかの通信局は、典型的には、バックホール（図示せず）を通ってネットワーク（図示せず）と相互接続されて、いくつかのサービスエリアを提供して、広範なエリアをカバーする。バックホールとしては、有線、光学、及び／又は無線通信チャネルの任意の組み合わせが挙げられる。本明細書に記載される例では、ネットワークは、Ｍｏｂｉｌｉｔｙ  Ｍａｎａｇｅｍｅｎｔ  Ｅｎｔｉｔｙ（ＭＭＥ）及びＰａｃｋｅｔ  Ｇａｔｅｗａｙ（Ｐ−ＧＷ）を含む。
【００２５】
セルラ通信システムは、典型的には、通信規格又は仕様に従う必要がある。通信仕様では、少なくとも、上りリンク及び下りリンク伝送用のデータチャネル及び制御チャネルが定義され、かつ少なくとも、基地局から無線通信装置への物理下りリンク制御チャネル用のいくつかのタイミング及び周波数パラメータが特定される。第３世代パートナシッププロジェクト・ロング・ターム・エボリューション（３ＧＰＰ  ＬＴＥ）の通信仕様は、下りリンクに対する直交周波数分割多重方式（ＯＦＤＭ）及び上りリンクに対するシングルキャリア周波数分割多元接続方式（ＳＣ−ＦＤＭＡ）を使用して、通信局（ｅＮｏｄｅＢ）がサービスを無線通信装置（ＵＥ装置）に提供するシステムのための仕様である。本明細書に記載される手法は、他のタイプの通信システムに適用可能ではあるが、本明細書で検討される例示的なシステムは、ＦＤＤ  ３ＧＰＰ  ＬＴＥ通信仕様に従って動作する。
【００２６】
したがって、本明細書の例では、サービング通信局１０２は、下りリンク信号を元のセル１０４内のＵＥ装置１１０に対して、３ＧＰＰ  ＬＴＥに従って送信し、上りリンク信号をＵＥ装置１１０から、３ＧＰＰ  ＬＴＥに従って受信する、無線送受信機を備える。非サービング通信局１０６は、図１Ｂにおいてアクティブ化すると、下りリンク信号を新規セル１２２内のＵＥ装置１１０に対して３ＧＰＰ  ＬＴＥに従って送信し、上りリンク信号をＵＥ装置１１０から３ＧＰＰ  ＬＴＥに従って受信する、無線送受信機を備える。
【００２７】
ユーザ機器（ＵＥ）装置１１０は、モバイル装置、無線装置、無線通信装置、及びモバイル無線装置、ＵＥ、並びにそれ以外の名称で称されてもよい。無線通信装置は、通信局（ｅＮＢ）、場合によっては、他のＵＥ装置を含む他の装置と通信するための電子機器と、コードと、を含む。ＵＥ装置として、スマートフォン、携帯電話、パーソナルデジタルアシスタント（ＰＤＡ）、無線モデムカード、無線モデム、無線通信用電子部品を有するテレビ、並びにラップトップ及びデスクトップ型のコンピュータなどの装置、並びに他の装置が挙げられる。したがって、無線通信電子部品を電子装置と組み合わせることにより、無線通信装置を形成することができる。例えば、無線通信装置は、電化製品、コンピュータ、又はテレビに接続された無線モデムを備えてもよい。
【００２８】
図１Ａに示された例では、サービング通信局１０２は、通信リンク１１２を介してＵＥ装置１１０と無線信号を送受信することにより、ＵＥ装置１１０に対して無線サービスを提供している。非アクティブな通信局１０６がアクティブ化を検討されるべきだと判定された場合、サービング通信局１０２によってサービングされているＵＥ装置１１０に対して、上りリンク信号の構成に従って上りリンク信号１１４を送信するように指示が伝送される。非アクティブな通信局１０６がアクティブ化を検討されるべきであるという判定は、この例では、サービング通信局１０２によってなされる。しかしながら、他の例では、ネットワーク内の複数のノードから収集した情報に基づいて、ネットワーク内の無線カバレッジがどのように構成されるかを判定する集中型のスペクトル管理サーバなどの、システム１００内の又はより大きなネットワーク内の他のエンティティがこの判定を行ってもよい。
【００２９】
どのエンティティが、非アクティブな通信局１０６がアクティブ化を検討されるべきであるという判定を下すかということに関わりなく、判定を下す際、様々な要因が関わり得る。１つ又は２つ以上の非アクティブな通信局がアクティブ化を検討されるべきであるかどうか判定する場合に、例えば、サービング通信局１０２の現在のかつ／若しくは予想されるトラフィック負荷、サービス品質（ＱｏＳ）要件、及び／又はサービング通信局１０２によってサービングされているＵＥに関連した加入者タイプを考慮に入れることができる。小セル及びＵＥ、具体的には高いリソース利用率のＵＥの概略的な場所の知識に基づいて、サービング通信局は、広大なサービングエリア内の小セル通信局の全てがアクティブ化を検討されるべきであると判定してもよく、又はサービング通信局は、ある小セル通信局のみがアクティブ化を検討されるべきであると判定してもよい。
【００３０】
図１Ａに示される例では、サービング通信局１０２は、上りリンク信号の構成に従い、上りリンク信号１１４を送信するように、通信リンク１１２を介してＵＥ装置１１０に対して指示を伝送する。この例では、上りリンク信号１１４は、レイヤ３シグナリングなどの上位層の無線プロトコルを伴わない、コードシーケンスを含む。例えば、いくつかの例では、上りリンク信号１１４は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上であってもよい。
【００３１】
更に、ＵＥ装置１１０によって伝送されることになる上りリンク信号１１４に対応する上りリンク信号の構成情報１１６は、無線サービスを提供することができない非アクティブな状態にある非サービング通信局１０６に伝送される。図１Ａに示すように、サービング通信局１０２は、上りリンク信号の構成情報１１６を、非サービング通信局１０６に伝送する。非サービング通信局１０６は、上りリンク信号の構成情報１１６を使用して、ＵＥ装置１１０が十分に近くにある場合に、ＵＥ装置１１０によって伝送される上りリンク信号１１４を非サービング通信局が受信できるように、非サービング通信局の無線受信部を構成する。上りリンク信号１１４が非サービング通信局によって受信される場合、非サービング通信局１０６は、受信した上りリンク信号１１４についての情報を、サービング通信局１０２に伝送し、受信した上りリンク信号１１４についての情報により、サービング通信局１０２は、ＵＥ装置１１０を識別することが可能である。サービング通信局１０２が小セル通信局から上りリンク信号のレポートを受信すると、サービング通信局１０２は、最小数の通信局をアクティブ化する一方、リソースの最大量をオフロードするために、アクティブ化されるべき最適な通信局又は複数の通信局を判定する。
【００３２】
この例では、非サービング通信局１０６から無線サービスを受信するためにＵＥ装置１１０が非サービング通信局１０６の十分近くにあるかどうかを、非サービング通信局１０６が判定する。この判定は、非サービング通信局１０６において受信した上りリンク信号１１４に少なくとも部分的に基づく。
【００３３】
場合によっては、非サービング通信局１０６から無線サービスを受信するためにＵＥ装置１１０が非サービング通信局１０６の十分近くにあるかどうかの判定は、上りリンク信号１１４のエネルギーレベルを受信することを含む。より具体的には、上りリンク信号１１４のエネルギーレベルは、非サービング通信局１０６によって受信及び測定され、サービング通信局１０２に伝送される。エネルギーレベルに少なくとも部分的に基づいて、サービング通信局１０２は、非サービング通信局１０６から無線サービスを受信するためにＵＥ装置１１０が非サービング通信局１０６の十分近くにあるかどうかを判定し、この非サービング通信局がアクティブ化されるべきであるかどうかを判定する場合にこれを考慮に入れる。本明細書における例では、非サービング通信局１０６から無線サービスを受信するためにＵＥ装置１１０が非サービング通信局１０６の十分近くにあるかどうかの判定はまた、非サービング通信局１０６において受信される上りリンク信号１１４に含有される情報に少なくとも部分的に基づく。より詳細には、非サービング通信局１０６が上りリンク信号１１４を受信し、上りリンク信号１１４を復号してこの情報をサービング通信局１０２へ伝送することにより、上りリンク信号１１４における情報を判定する。場合によっては、上りリンク信号における情報は、ＵＥ装置１１０に固有であり、非サービング通信局によって受信された上りリンク信号を送信したＵＥ装置をサービング通信局１０２が識別することを可能にする。この情報に少なくとも部分的に基づいて、非サービング通信局１０６から無線サービスを受信するためにＵＥ装置１１０が非サービング通信局１０６の十分近くにあるかどうかを、サービング通信局１０６が判定する。サービング通信局１０２は、ＵＥ装置１１０についての知識を部分的に使用して、どの通信局がアクティブ化されるべきであるかを判定してもよい。例えば、非サービング通信局１０２がＵＥ装置１１０の上りリンク信号送信を検出し、かつＵＥ装置１１０が多数の無線リソースが割り当てられる程のサービスのレベルを必要としている場合、サービング通信局１０２は、非サービング通信局１０２をアクティブ化するよう判定するだろう。状況によっては、非サービング通信局１０６から無線サービスを受信するためにＵＥ装置１１０が非サービング通信局１０６の十分近くにあるかどうかの判定は、ＵＥ装置１１０から受信した信号からの情報を復号することなく、エネルギーレベルに基づいてもよい。
【００３４】
非サービング通信局１０６から無線サービスを受信するためにＵＥ装置１１０が非サービング通信局１０６の十分近くにあることを判定するために使用される手法に関わらず、この判定がなされると、非サービング通信局１０６がアクティブ化されて、無線サービスを提供することができる。以上説明したように、どの（複数の）非サービング通信局をアクティブ化するかの判定は、様々な通信局のトラフィック負荷、非サービング通信局のそれぞれへのハンドオーバについて検討されている様々なＵＥ装置の近接度、並びにハンドオーバについて検討されているＵＥ装置のそれぞれに関連したＱｏＳ要件及び／又は加入者タイプなどを含む、多数の要因に基づいてもよい。
【００３５】
図１Ｂに示す例では、非サービング通信局１０６がアクティブ化されて、新規のサービスエリア１２２において無線サービスを提供し、ＵＥ装置１１０がサービング通信局１０２から非サービング通信局１０６にハンドオーバされる。アクティブ化されると、非サービング通信１０６は、新たにアクティブ化された通信局１０６と称されてもよい。図１Ｂに示されるように、新たにアクティブ化された通信局１０６は通信リンク１２４を介してＵＥ装置１１０に無線サービスを提供し、新たにアクティブ化された通信局１０６の新規のサービスエリア（例えば、省エネルギーサービスエリア）１２２は、サービング通信局１０２の元のカバレッジサービスエリア１０４に少なくとも部分的に重なる。
【００３６】
図２Ａは、ＵＥ装置が非サービング通信局から無線サービスを受信するために非サービング通信局の十分に近くにあるかどうかをサービング通信局が判定するシステムを示す。システム２００は、地域サービスエリア内に無線サービスを提供するサービング通信局１０２を備え、地域サービスエリアの一部は、元のサービスエリア（例えば、元のセル）１０４により示される。システム２００はまた、非アクティブであり、無線サービスを提供することができない、非サービング通信局１０６を備える。非サービング通信局１０６がアクティブ化され、無線サービスを提供できるようになる場合、非サービング通信局１０６がカバレッジを提供するであろうエリアは、非サービングサービスエリア（例えば、非サービングセル）１０８によって表わされる。非サービングサービスエリア１０８は、破線で示されて、非サービングサービスエリア１０８が現在非アクティブであることを示す。
【００３７】
図２Ａに示された例では、サービング通信局１０２は、通信リンク１１２を介してＵＥ装置１１０と無線信号を送受信することにより、ＵＥ装置１１０に対して無線サービスを提供している。非アクティブな通信局１０６がアクティブ化を検討されるべきだと判定された場合、サービング通信局１０２によってサービングされているＵＥ装置１１０に対して、上りリンク信号の構成に従って上りリンク信号１１４を送信するように指示が伝送される。非アクティブな通信局１０６がアクティブ化を検討されるべきであるという判定は、この例では、サービング通信局１０２によってなされる。しかしながら、他の例では、ネットワーク内の複数のノードから収集した情報に基づいて、ネットワーク内の無線カバレッジがどのように構成されるかを判定する集中型のスペクトル管理サーバなどの、システム１００内の又はより大きな無線ネットワーク内の他のエンティティがこの判定を行ってもよい。
【００３８】
どのエンティティが、非アクティブな通信局１０６がアクティブ化を検討されるべきであるという判定を下すかということに関わりなく、判定を下す際、様々な要因が関わり得る。１つ又は２つ以上の非アクティブな通信局がアクティブ化を検討されるべきであるかどうか判定する場合に、例えば、サービング通信局１０２の現在のかつ／若しくは予想されるトラフィック負荷、サービス品質（ＱｏＳ）要件、及び／又はサービング通信局１０２によってサービングされているＵＥに関連した加入者タイプを考慮に入れることができる。
【００３９】
図２Ａに示される例では、サービング通信局１０２は、上りリンク信号の構成に従い、上りリンク信号１１４を送信するように、通信リンク１１２を介してＵＥ装置１１０に対して指示を伝送する。上りリンク信号１１４は、ＵＥに固有であり、かつ、レイヤ３シグナリングなどの上位層の無線プロトコルを伴わない、コードシーケンスを含んでもよい。例えば、いくつかの例では、上りリンク信号１１４は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上であってもよい。
【００４０】
更に、ＵＥ装置１１０によって伝送されることになる上りリンク信号１１４に対応する上りリンク信号の構成情報１１６は、無線サービスを提供することができない非アクティブな状態にある非サービング通信局１０６に伝送される。図２Ａに示すように、サービング通信局１０２は、上りリンク信号の構成情報１１６を、非サービング通信局１０６に伝送する。とはいえ、他の例では、集中型のスペクトル管理サーバなどの他のエンティティが上りリンク信号の構成情報１１６を非サービング通信局１０６に伝送してもよい。非サービング通信局１０６は、上りリンク信号の構成情報１１６を使用して、ＵＥ装置１１０が十分に近くにある場合に、ＵＥ装置１１０によって伝送される上りリンク信号１１４を非サービング通信局が受信できるように、非サービング通信局の無線受信部を構成する。上りリンク信号１１４が非サービング通信局によって受信される場合、非サービング通信局１０６は、受信した上りリンク信号１１４についての情報を、サービング通信局１０２に伝送し、受信した上りリンク信号１１４についての情報により、サービング通信局１０２は、ＵＥ装置１１０を識別することが可能である。サービング通信局１０２が小セル通信局から上りリンク信号のレポートを受信すると、サービング通信局１０２は、最小数の通信局をアクティブ化する一方、リソースの最大量をオフロードするために、アクティブ化されるべき最適な通信局又は複数の通信局を判定する。
【００４１】
この例では、非サービング通信局１０６から無線サービスを受信するためにＵＥ装置１１０が非サービング通信局１０６の十分近くにあるかどうかを、サービング通信局１０２が判定する。この判定は、非サービング通信局１０６によって受信した上りリンク信号１１４に関する情報に少なくとも部分的に基づく。他の場合では、非サービング通信局は、ＵＥ装置１１０が十分に近くにあることを判定し、この指示をサービング通信局にすぐ伝送する。これは、非サービング通信局のアクティブ化を最適化することが重要ではない場合であるだろう。
【００４２】
場合によっては、上りリンク信号１１４に関する情報は、上りリンク信号１１４のエネルギーレベルを含む。より具体的には、上りリンク信号１１４のエネルギーレベルは、非サービング通信局１０６によって受信及び測定される。
他の場合では、上りリンク信号１１４に関する情報は、上りリンク信号１１４に含有され、上りリンク信号１１４を復号することにより非サービング通信局１０６によって判定される、情報を含む。上りリンク信号は、上りリンク信号を送信したＵＥ装置１１０を識別するコードを含有することができる。この情報は、サービング通信局１０２へ伝送されてもよく、ＵＥ装置１１０のリソース要件は、どの通信局をアクティブ化するかの判定を支援することができる。非サービング通信局１０６によって受信した上りリンク信号のエネルギーレベルは、サービング通信局１０２に伝送されてもよく、どの通信局がアクティブ化されるべきであるかの判定に使用することができる。例えば、２つ以上の非サービング通信局がＵＥ装置１１０の上りリンク信号を受信する場合、より大きなエネルギーレベルでこの信号を受信した非サービング通信局が、アクティブ化のためのより良い候補として検討されてもよい。
【００４３】
上りリンク信号１１４に関する情報を判定するために使用される手法に関わらず、この情報が非サービング通信局１０６によって判定されると、図２Ｂに示すように、非サービング通信局１０６は、上りリンク信号１１４に関する情報１１８をサービング通信局１０２に送信する。
【００４４】
上りリンク信号１１４に関する情報１１８に少なくとも部分的に基づいて、非サービング通信局１０６から無線サービスを受信するためにＵＥ装置１１０が非サービング通信局１０６の十分近くにあるかどうかを、サービング通信局１０２が判定する。この判定がなされると、サービング通信局１０２は、非サービング通信局１０６をアクティブ化するように指示１２０を送信する。以上説明したように、どの（複数の）非サービング通信局をアクティブ化するかの判定は、様々な通信局のトラフィック負荷、非サービング通信局のそれぞれへのハンドオーバについて検討されている様々なＵＥ装置の近接度、並びにハンドオーバについて検討されているＵＥ装置のそれぞれに関連したＱｏＳ要件及び／又は加入者タイプなどを含む、多数の要因に基づいてもよい。
【００４５】
図２Ｃに示す例では、非サービング通信局１０６は、アクティブ化されて、新規のサービスエリア１２２において無線サービスを提供しており、ＵＥ装置１１０は、サービング通信局１０２から非サービング通信局１０６にハンドオーバされている。アクティブ化されると、非サービング通信１０６は、新たにアクティブ化された通信局１０６と称されてもよい。図２Ｃに示されるように、新たにアクティブ化された通信局１０６は、通信リンク１２４を介してＵＥ装置１１０に無線サービスを提供し、新たにアクティブ化された通信局１０６の新規のサービスエリア（例えば、省エネルギーサービスエリア）１２２は、サービング通信局１０２の元のカバレッジサービスエリア１０４と少なくとも部分的に重なる。
【００４６】
図３は、図１及び図２に示されたシステムを動作させる方法のフローチャートを示す。この方法は、サービング通信局によってサービングされているＵＥ装置が上りリンク信号の構成に従い、上りリンク信号を送信するように指示される、ステップ３０２で開始する。ステップ３０４では、上りリンク信号の構成情報は、非サービング通信局が無線サービスを提供することができない非アクティブな状態にある非サービング通信局に伝送される。
【００４７】
ステップ３０６では、ＵＥ装置が非サービング通信局から無線サービスを受信するために非サービング通信局の十分近くにあるかどうかが判定される。この判定は、非サービング通信局において受信した上りリンク信号に少なくとも部分的に基づく。場合によっては、判定は、非サービング通信局によって測定される上りリンク信号のエネルギーレベルを受信することと、少なくとも部分的にエネルギーレベルに基づいて、非サービング通信局から無線サービスを受信するためにＵＥ装置が非サービング通信局の十分近くにあるかどうかを判定することと、を含む。他の場合では、判定は、上りリンク信号に含有され、上りリンク信号を復号することにより非サービング通信局によって判定される情報を受信することと、少なくとも部分的に情報に基づいて、非サービング通信局から無線サービスを受信するためにＵＥ装置が非サービング通信局の十分近くにあるかどうかを判定することと、を含む。
【００４８】
図３には示されないが、この方法はまた、非サービング通信局から無線サービスを受信するためにＵＥ装置が非サービング通信局の十分近くにあるとの判定に応答して、非サービング通信局をアクティブ化して無線サービスを提供することを含んでもよい。
【００４９】
明らかに、本発明を実施する他の変形例及び様式が、これらの教示を参酌して、当業者に容易に創作されるだろう。上述の記載は、例示的であり、限定的なものではない。本発明は、上記の明細書及び添付の図面と併用して鑑みた場合、かかる変更例及び様式のすべてを含む、以下の特許請求の範囲によってのみ限定される。したがって、本発明の範囲は、上記の説明を参照して判断されるのではなく、均等物の全範囲と共に、添付される特許請求の範囲を参照して判断されるべきである。
【図１】
2016536823.tif 000003
【図２】
2016536823.tif 000004
【図３】
2016536823.tif 000005
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
サービング通信局によってサービングされているユーザ機器装置（ＵＥ装置）に、上りリンク信号の構成に従い、上りリンク信号を送信するように指示する工程と、
上りリンク信号の構成情報を、非サービング通信局が無線サービスを提供することができない非アクティブな状態にある前記非サービング通信局に伝送する工程と、
前記非サービング通信局から無線サービスを受信するために前記ＵＥ装置が前記非サービング通信局の十分近くにあるかどうかを判定する工程であって、前記判定する工程は、前記非サービング通信局において受信した前記上りリンク信号に少なくとも部分的に基づいている、工程と、を含む、方法。
【請求項２】
前記判定する工程は、
前記上りリンク信号のエネルギーレベルを受信する工程であって、前記エネルギーレベルは、前記非サービング通信局によって測定される、工程と、
前記エネルギーレベルに少なくとも部分的に基づいて、前記非サービング通信局から無線サービスを受信するために前記ＵＥ装置が前記非サービング通信局の十分近くにあるかどうかを判定する工程と、を含む、請求項１に記載の方法。
【請求項３】
前記判定する工程は、
前記上りリンク信号に含有され、前記上りリンク信号を復号することにより前記非サービング通信局によって決定される、情報を受信する工程と、
前記情報に少なくとも部分的に基づいて、前記非サービング通信局から無線サービスを受信するために前記ＵＥ装置が前記非サービング通信局の十分近くにあるかどうかを判定する工程と、を含む、請求項１に記載の方法。
【請求項４】
前記判定する工程は、
前記上りリンク信号から受信した前記情報を前記サービング通信局に伝送する工程を含む、請求項３に記載の方法。
【請求項５】
前記非サービング通信局から無線サービスを受信するために前記ＵＥ装置が前記非サービング通信局の十分近くにあるとの判定に応答して、前記非サービング通信局をアクティブ化して、無線サービスを提供する工程を更に含む、請求項１に記載の方法。
【請求項６】
前記非サービング通信局をアクティブ化して無線サービスを提供することに応じて、前記サービング通信局は、カバレッジサービスエリアを有し、前記非サービング通信局は、前記カバレッジサービスエリアと少なくとも部分的に重なる省エネルギーサービスエリアを有する、請求項５に記載の方法。
【請求項７】
前記非サービング通信局において受信した前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上を含む、請求項１に記載の方法。
【請求項８】
非アクティブな状態にある非サービング通信局であって、前記非サービング通信局は、無線サービスを提供することができず、前記非サービング通信局は、
受信部であって、
サービング通信局によってサービングされているユーザ機器装置（ＵＥ装置）から、上りリンク信号の構成に従い、送信された上りリンク信号と、
上りリンク信号構成情報と、を受信するように構成された受信部と、
前記受信した上りリンク信号に少なくとも部分的に基づいて、前記非サービング通信局から無線サービスを受信するために前記ＵＥ装置が前記非サービング通信局の十分近くにあるかどうかを判定するように構成された制御部と、を含む、非サービング通信局。
【請求項９】
前記制御部は、
前記受信した上りリンク信号のエネルギーレベルを測定し、
前記測定したエネルギーレベルに少なくとも部分的に基づいて、前記非サービング通信局から無線サービスを受信するために前記ＵＥ装置が前記非サービング通信局の十分近くにあるかどうかを判定するように、更に構成される、請求項８に記載の非サービング通信局。
【請求項１０】
前記制御部は、
前記受信した上りリンク信号に含有された情報を復号し、
前記復号された情報に少なくとも部分的に基づいて、前記非サービング通信局から無線サービスを受信するために前記ＵＥ装置が前記非サービング通信局の十分近くにあるかどうかを判定するように、更に構成される、請求項８に記載の非サービング通信局。
【請求項１１】
前記制御部は、
前記非サービング通信局から無線サービスを受信するために前記ＵＥ装置が前記非サービング通信局の十分近くにあるとの判定に応答して、前記非サービング通信局をアクティブ化して、無線サービスを提供するように更に構成される、請求項８に記載の非サービング通信局。
【請求項１２】
前記非サービング通信局において受信した前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上を含む、請求項８に記載の非サービング通信局。
【請求項１３】
ユーザ機器装置（ＵＥ装置）をサービングするサービング通信局であって、前記サービング通信局は、
送信部であって、
上りリンク信号の構成に従い、上りリンク信号を送信するための前記ＵＥ装置への指示と、
非サービング通信局が無線サービスを提供することができない非アクティブな状態にある前記非サービング通信局への上りリンク信号の構成情報と、を送信するように構成された送信部と、
前記非サービング通信局から、前記上りリンク信号に関する情報を受信するように構成された受信部と、
前記上りリンク信号に関係する前記情報に少なくとも部分的に基づいて、前記非サービング通信局から無線サービスを受信するために前記ＵＥ装置が前記非サービング通信局の十分近くにあるかどうかを判定するように構成された制御部と、を含む、サービング通信局。
【請求項１４】
前記上りリンク信号に関係する前記情報は、前記上りリンク信号のエネルギーレベルを含み、前記エネルギーレベルは、前記非サービング通信局によって測定される、請求項１３に記載のサービング通信局。
【請求項１５】
前記上りリンク信号に関係する前記情報は、前記上りリンク信号に含有され、前記上りリンク信号を復号することにより前記非サービング通信局によって決定される、情報を含む、請求項１３に記載のサービング通信局。
【請求項１６】
前記制御部は、
前記非サービング通信局から無線サービスを受信するために前記ＵＥ装置が前記非サービング通信局の十分近くにあるとの判定に応答して、前記非サービング通信局をアクティブ化して、無線サービスを提供するよう指示を送信するように更に構成される、請求項１３に記載のサービング通信局。
【請求項１７】
前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上含む、請求項１３に記載のサービング通信局。
【請求項１８】
システムであって、
ユーザ機器装置（ＵＥ装置）と、
前記ＵＥ装置をサービングしているサービング通信局であって、前記サービング通信局は、上りリンク信号の構成に従い、上りリンク信号を送信するように前記ＵＥ装置に指示を送信するように構成された送信部を備える、サービング通信局と、
非サービング通信局であって、
受信部であって、
前記上りリンク信号と、
上りリンク信号構成情報と、を受信するように構成された受信部と、
前記受信した上りリンク信号に少なくとも部分的に基づいて、前記非サービング通信局から無線サービスを受信するために前記ＵＥ装置が前記非サービング通信局の十分近くにあるかどうかを判定するように構成された制御部と、を含む、非サービング通信局と、を含む、システム。
【請求項１９】
前記制御部は、
前記受信した上りリンク信号のエネルギーレベルを測定し、
前記測定したエネルギーレベルに少なくとも部分的に基づいて、前記非サービング通信局から無線サービスを受信するために前記ＵＥ装置が前記非サービング通信局の十分近くにあるかどうかを判定するように、更に構成される、請求項１８に記載のシステム。
【請求項２０】
前記制御部は、
前記受信した上りリンク信号に含有された情報を復号し、
前記復号された情報に少なくとも部分的に基づいて、前記非サービング通信局から無線サービスを受信するために前記ＵＥ装置が前記非サービング通信局の十分近くにあるかどうかを判定するように、更に構成される、請求項１８に記載のシステム。
【請求項２１】
前記制御部は、
前記非サービング通信局から無線サービスを受信するために前記ＵＥ装置が前記非サービング通信局の十分近くにあるとの判定に応答して、前記非サービング通信局をアクティブ化して、無線サービスを提供するように更に構成される、請求項１８に記載のシステム。
【請求項２２】
前記非サービング通信局をアクティブ化して無線サービスを提供することに応じて、前記サービング通信局は、カバレッジサービスエリアを有し、前記非サービング通信局は、前記カバレッジサービスエリアと少なくとも部分的に重なる省エネルギーサービスエリアを有する、請求項２１に記載のシステム。
【請求項２３】
前記非サービング通信局において受信した前記上りリンク信号は、以下の、カバレッジセル物理ランダムアクセスチャネルリソース上のランダムアクセスプリアンブル、上りリンクチャネルサウンディング（サウンディング参照信号測定値）、及び上りリンクカバレッジセルＵＥ復調参照信号のうち１つ又は２つ以上を含む、請求項１８に記載のシステム。
【手続補正２】
【補正対象書類名】明細書
【補正対象項目名】００２０
【補正方法】変更
【補正の内容】
【００２０】
更に、様々な図面を参照して検討されるＵＥ装置検出手法は、他のシナリオに適用することができる。例えば、本明細書で検討される手法に従い、いくつかの非アクティブな通信局が単一のサービング通信局からＵＥ装置を受容するためにアクティブ化されてもよく、かつ／又は単一の非アクティブな通信局が複数のサービング通信局からＵＥ装置を受容するようにアクティブ化されてもよい。
【手続補正３】
【補正対象書類名】明細書
【補正対象項目名】００３３
【補正方法】変更
【補正の内容】
【００３３】
場合によっては、非サービング通信局１０６から無線サービスを受信するためにＵＥ装置１１０が非サービング通信局１０６の十分近くにあるかどうかの判定は、上りリンク信号１１４のエネルギーレベルを受信することを含む。より具体的には、上りリンク信号１１４のエネルギーレベルは、非サービング通信局１０６によって受信及び測定され、サービング通信局１０２に伝送される。エネルギーレベルに少なくとも部分的に基づいて、サービング通信局１０２は、非サービング通信局１０６から無線サービスを受信するためにＵＥ装置１１０が非サービング通信局１０６の十分近くにあるかどうかを判定し、この非サービング通信局がアクティブ化されるべきであるかどうかを判定する場合にこれを考慮に入れる。本明細書における例では、非サービング通信局１０６から無線サービスを受信するためにＵＥ装置１１０が非サービング通信局１０６の十分近くにあるかどうかの判定はまた、非サービング通信局１０６において受信される上りリンク信号１１４に含有される情報に少なくとも部分的に基づく。より詳細には、非サービング通信局１０６が上りリンク信号１１４を受信し、上りリンク信号１１４を復号してこの情報をサービング通信局１０２へ伝送することにより、上りリンク信号１１４における情報を判定する。場合によっては、上りリンク信号における情報は、ＵＥ装置１１０に固有であり、非サービング通信局によって受信された上りリンク信号を送信したＵＥ装置をサービング通信局１０２が識別することを可能にする。この情報に少なくとも部分的に基づいて、非サービング通信局１０６から無線サービスを受信するためにＵＥ装置１１０が非サービング通信局１０６の十分近くにあるかどうかを、サービング通信局１０２が判定する。サービング通信局１０２は、ＵＥ装置１１０についての知識を部分的に使用して、どの通信局がアクティブ化されるべきであるかを判定してもよい。例えば、非サービング通信局１０６がＵＥ装置１１０の上りリンク信号送信を検出し、かつＵＥ装置１１０が多数の無線リソースが割り当てられる程のサービスのレベルを必要としている場合、サービング通信局１０２は、非サービング通信局１０６をアクティブ化するよう判定するだろう。状況によっては、非サービング通信局１０６から無線サービスを受信するためにＵＥ装置１１０が非サービング通信局１０６の十分近くにあるかどうかの判定は、ＵＥ装置１１０から受信した信号からの情報を復号することなく、エネルギーレベルに基づいてもよい。
【手続補正４】
【補正対象書類名】明細書
【補正対象項目名】００３５
【補正方法】変更
【補正の内容】
【００３５】
図１Ｂに示す例では、非サービング通信局１０６がアクティブ化されて、新規のサービスエリア１２２において無線サービスを提供し、ＵＥ装置１１０がサービング通信局１０２から非サービング通信局１０６にハンドオーバされる。アクティブ化されると、非サービング通信局１０６は、新たにアクティブ化された通信局１０６と称されてもよい。図１Ｂに示されるように、新たにアクティブ化された通信局１０６は通信リンク１２４を介してＵＥ装置１１０に無線サービスを提供し、新たにアクティブ化された通信局１０６の新規のサービスエリア（例えば、省エネルギーサービスエリア）１２２は、サービング通信局１０２の元のカバレッジサービスエリア１０４に少なくとも部分的に重なる。
【手続補正５】
【補正対象書類名】明細書
【補正対象項目名】００４５
【補正方法】変更
【補正の内容】
【００４５】
図２Ｃに示す例では、非サービング通信局１０６は、アクティブ化されて、新規のサービスエリア１２２において無線サービスを提供しており、ＵＥ装置１１０は、サービング通信局１０２から非サービング通信局１０６にハンドオーバされている。アクティブ化されると、非サービング通信局１０６は、新たにアクティブ化された通信局１０６と称されてもよい。図２Ｃに示されるように、新たにアクティブ化された通信局１０６は、通信リンク１２４を介してＵＥ装置１１０に無線サービスを提供し、新たにアクティブ化された通信局１０６の新規のサービスエリア（例えば、省エネルギーサービスエリア）１２２は、サービング通信局１０２の元のカバレッジサービスエリア１０４と少なくとも部分的に重なる。
【国際調査報告】
2016536823.tif 000006
2016536823.tif 000007
2016536823.tif 000008
2016536823.tif 000009
2016536823.tif 000010
2016536823.tif 000011